(57)【要約】【課題】  一枚のシートから組み立てられる箱であって、内容物が細かい粉体や液状物であっても満杯に入れることができる箱を得る。【解決手段】  底部２の四辺に設けた隣り合う第１側壁部４と第２側壁部６の間に外方に二つ折りされ三角形となって第２側壁部６の外面側に折り込まれる折込部９を設け、第１側壁部４の外端縁に第１折返し片１１を設け、第１折返し片１１の両端に、第２側壁部６の外面側に折り曲げられて、第２側壁部６の外面側に折り込まれている折込部９の上に折り重ねられる押さえ片１３を設け、第２側壁部６の外端縁には第７折線１４を介して第２折返し片１５を設け、第２折返し片１５の外端縁に、第２側壁部６の外面側に折り込まれた折込部９及び折込部９上に折り重ねられた押さえ片１３の下方から折込部９及び押さえ片１３の内側へ折り込まれる折込片１７を設けた。【選択図】図４
2020164183.tif 000002
【特許請求の範囲】
【請求項１】
一枚のシートから組み立てられる箱であって、矩形状の底部の相対向する二辺にそれぞれ第１折線を介して設けられた第１側壁部と、前記底部の他の相対向する二辺にそれぞれ第２折線を介して設けられた第２側壁部と、隣り合う前記第１側壁部と前記第２側壁部の間に設けられており、両側端縁にそれぞれ第３折線、第４折線を介して連接する前記両側端縁を２辺とする正方形に形成され、外方に二つ折りされ三角形となって前記第２側壁部の外面側に折り込まれる折込部と、前記第１側壁部の外端縁に第５折線を介して設けられた第１折返し片と、前記第１折返し片の両端に第６折線を介して設けられており、前記第２側壁部の外面側に折り曲げられて、前記第２側壁部の外面側に折り込まれている前記折込部の上に折り重ねられる押さえ片と、前記第２側壁部の外端縁に第７折線を介して設けられており、前記第２側壁部の外面側に折り込まれている前記折込部及び前記折込部の上に折り重ねられている押さえ片の上に折り重ねられた第２折返し片と、前記第２折返し片の外端縁に第８折線を介して設けられ、前記第２側壁部の外面側に折り込まれている前記折込部の下方から前記折込部の内側へ折り込まれる折込片とを備えたことを特徴とする箱。
【請求項２】
前記第１折返し片の両端に第６折線を介して設けられており、前記第２側壁部の外面側に折り曲げられて、前記第２側壁部の外面側に折り込まれている前記折込部の上に折り重ねられる前記押さえ片は、少なくとも手前側の前記折込部を超える長さに形成されていることを特徴とする請求項１に記載の箱。
【請求項３】
前記シートは、少なくとも内面となる一面に耐液体性加工が施されていることを特徴とする請求項１または２に記載の箱。
【請求項４】
前記シートは、紙製であることを特徴とする請求項１〜３のいずれか１項に記載の箱。
【請求項５】
前記シートは、段ボールシートであることを特徴とする請求項１〜４のいずれか１項に記載の箱。
【発明の詳細な説明】
【技術分野】
【０００１】
本発明は、一枚のシートから組み立てられる箱であって、特に粉体や液状物の収容に適した箱に関する。
【背景技術】
【０００２】
一枚のシートから組み立てられる箱として、図５に示すように、箱本体の四辺形の底壁３０の四周側辺にそれぞれ側壁３１、３１、３２、３２を連設し、隣接する側壁３１、３２の側辺間に跨がって外方に２つ折りされる連結片３３を連設し、箱本体の各側壁３１、３１、３２、３２の上縁および連結片３３の外側片部上縁に外方に折り返される折り返し片３４、３５を連設する共に、この外側片部の折り返し片３６を一対の対向側壁の折り返し片３４の両端に連設し、他の一対の対向側壁の折り返し片３５の先端に連結片と側壁との間に折り込まれる折り込み片３７を連設し、この折り込み片３７が折り返し片３６、連結片３３と側壁３２との間に折り込まれた状態のもとで、一対の対向側壁上部に手掛け部が形成されるものとする段ボール箱が知られている（例えば特許文献１参照。）。
【先行技術文献】
【特許文献】
【０００３】
【特許文献１】特開平１０−２７３１３１号公報
【発明の概要】
【発明が解決しようとする課題】
【０００４】
特許文献１に記載されている段ボール箱によれば、隣接する側壁の側辺間に跨がって外方に２つ折りされる連結片３３、３３は、段ボール箱の開口端側の角部が縦方向に切断されている。このため、段ボール箱には、側壁に連結片３３、３３の切断部３８に隙間が生じる。
この結果、内容物が細かい粉体である場合、粉体を箱に満杯に収容すると、粉体が２つ折りされる連結片３３、３３の間を通り連結片３３、３３の切断部３８に生じた隙間から漏れるおそれがあり、また液状物の場合は、連結片３３、３３の切断部３８の隙間から漏れ、そして漏れ出した液状物が切断部の端面から段ボール内に浸透し、箱強度を脆弱化させてしまうことになる。このため、内容物が細かい粉体や液状物である場合、箱に満杯になるまで入れられないといった問題がある。
【０００５】
本発明の目的は、一枚のシートから組み立てられる箱であって、内容物が細かい粉体や液状物であっても満杯に入れることができる箱を提供することにある。
【課題を解決するための手段】
【０００６】
上記の目的を達成するために、請求項１に記載の発明は、一枚のシートから組み立てられる箱であって、矩形状の底部の相対向する二辺にそれぞれ第１折線を介して設けられた第１側壁部と、前記底部の他の相対向する二辺にそれぞれ第２折線を介して設けられた第２側壁部と、隣り合う前記第１側壁部と前記第２側壁部の間に設けられており、両側端縁にそれぞれ第３折線、第４折線を介して連接する前記両側端縁を２辺とする正方形に形成され、外方に二つ折りされ三角形となって前記第２側壁部の外面側に折り込まれる折込部と、前記第１側壁部の外端縁に第５折線を介して設けられた第１折返し片と、前記第１折返し片の両端に第６折線を介して設けられており、前記第２側壁部の外面側に折り曲げられて、前記第２側壁部の外面側に折り込まれている前記折込部の上に折り重ねられる押さえ片と、前記第２側壁部の外端縁に第７折線を介して設けられており、前記第２側壁部の外面側に折り込まれている前記折込部及び前記折込部の上に折り重ねられている押さえ片の上に折り重ねられた第２折返し片と、前記第２折返し片の外端縁に第８折線を介して設けられ、前記第２側壁部の外面側に折り込まれている前記折込部の下方から前記折込部の内側へ折り込まれる折込片とを備えたことを特徴とする。
【０００７】
請求項１に記載の発明によれば、前記第２側壁部の外面側に折り込まれる折込部は、隣り合う前記第１側壁部と前記第２側壁部の間に、両側端縁にそれぞれ第３折線、第４折線を介して連接する前記両側端縁を２辺とする正方形に形成され、外方に二つ折りされ三角形となって前記第２側壁部の外面側に折り込まれるので、二つ折りされ三角形となった折込部の端面の位置は前記第１側壁部と前記第２側壁部の開口部端面の位置と同じ位置となり、内容物が細かい粉体や液状物であっても満杯に入れることができる。
また、前記第１側壁部の外端縁に第５折線を介して設けられた第１折返し片に第６折線を介して設けられた押さえ片が、前記第２側壁部の外面側に折り込まれている前記折込部の上に折り重ねられ、前記第２側壁部の外端縁に第７折線を介して設けられた前記第２折返し片が、前記第２側壁部の外面側に折り込まれている前記折込部及び前記折込部の上に折り重ねられている前記押さえ片の上に折り重ねられ、前記第２折返し片に第８折線を介して設けられた前記折込片が、前記第２側壁部の外面側に折り込まれた前記折込部の下方から前記折込部の内側へ折り込まれるので、前記折込片は前記第２側壁部の外面と前記折込部との間で挟持されることになり、堅牢な箱を得ることができる。
【０００８】
請求項２に記載の発明は、請求項１に記載の、前記第１折返し片の両端に第６折線を介して設けられており、前記第２側壁部の外面側に折り曲げられて、前記第２側壁部の外面側に折り込まれている前記折込部の上に折り重ねられる前記押さえ片は、少なくとも手前側の前記折込部を超える長さに形成されていることを特徴とする。
【０００９】
請求項２に記載の発明によれば、前記押さえ片は、少なくとも手前側の前記折込部を超える長さに形成されているので、前記第２側壁部の外端縁に第７折線を介して設けられた第２折返し片に第８折線を介して設けられた前記折込片は、前記第２側壁部の外面側に折り込まれた前記折込部及び前記折込部上に折り重ねられた前記押さえ片の下方から前記折込部及び前記押さえ片の内側へ折り込むことができ、前記折込片は前記第２側壁部の外面と前記折込部及び前記折込部上に折り重ねられた前記押さえ片との間で挟持されることになり、一層堅牢な箱を得ることができる。
【００１０】
請求項３に記載の発明は、請求項１または２に記載の、前記シートは、少なくとも内面となる一面に耐液体性加工が施されていることを特徴とする。
【００１１】
請求項３に記載の発明によれば、前記シートは、少なくとも内面となる一面に耐液体性加工が施されているので、内容物が液状物であっても内容物が漏れたり、また箱が脆弱化してしまうといったおそれが無い。
【００１２】
請求項４に記載の発明は、請求項１〜３のいずれか１項に記載の、前記シートは、紙製であることを特徴とする。
【００１３】
請求項４に記載の発明によれば、前記シートは紙製であるので、使用後の廃棄が容易で有り、また資源としての再利用が可能となる。
【００１４】
請求項５に記載の発明は、請求項１〜４のいずれか１項に記載の、前記シートは、段ボールシートであることを特徴とする。
【００１５】
請求項５に記載の発明によれば、前記シートは、段ボールシートであるので、軽量で且つ堅牢な箱を得ることができ、また、取扱や製造が容易である。
【発明の効果】
【００１６】
以上のように、本発明に係る箱によれば、内容物が細かい粉体や液状物であっても満杯に入れることができる箱を得ることができる。
【図面の簡単な説明】
【００１７】
【図１】本発明に係る箱の実施の形態の一例を示す斜視図である。
【図２】図１に示す箱の展開図である。
【図３】図１に示す箱を組み立てる工程を示す説明図である。
【図４】図１に示す箱を組み立てる工程を示す説明図である。
【図５】従来の箱を示す斜視図である。
【発明を実施するための形態】
【００１８】
以下、本発明に係る箱の形態の一例を、図面を参照して詳細に説明する。
図１〜図４は本発明に係る箱の実施の形態の一例を示すものであり、図１は本例の箱の斜視図、図２は図１に示す箱の展開図、図３は図１に示す箱を組み立てる工程を示す説明図、図４は図１に示す箱を組み立てる工程を示す説明図である。
【００１９】
本例の箱は、一枚のシートから組み立てられる箱である。
使用されるシートとしてはシート状の材料であれば特に限定されないが、例えば、紙製シート、プラスチック製シート等が使用される。紙製シートとしては厚紙シート、白板紙シート、紙段ボールシート等があり、またプラスチック製シートとしては、プラスチック板状シート、プラスチック段ボールシート等がある。
また、シートには、少なくとも箱の内面となる一面に耐液体性加工が施されているものを使用することができる。耐液体性加工にあっては、厚紙シート、白板紙シート、紙段ボールシート等の紙製シートに、耐液体性のフィルムをラミネートし、或いは耐液体性の塗料をコーティングしてもよく、また、紙層に耐液性剤を含有させてもよい。
本例では、箱を組み立てるシートとして、箱の内面となる一面に耐液体性の塗料がコーティングされた紙製の段ボールシートが使用されている。
【００２０】
このような段ボールシートで形成される本例の箱１は、図２の展開図で示すように、矩形状の底部２の相対向する二辺にそれぞれ第１折線３を介して第１側壁部４が設けられ、底部２の他の相対向する二辺にそれぞれ第２折線５を介して第２側壁部６が設けられている。
【００２１】
隣り合う第１側壁部４と第２側壁部６の間には、両側端縁にそれぞれ第３折線７、第４折線８を介して連接し、両側端縁を２辺とする正方形に形成され、外方に二つ折りされ三角形となって第２側壁部６の外面側に折り込まれる折込部９が設けられている。
【００２２】
第１側壁部４の外端縁には第５折線１０を介して第１折返し片１１が設けられ、第１折返し片１１の両端には第６折線１２を介して、押さえ片１３が設けられている。押さえ片１３は、第６折線１２から第２側壁部６の外面側に折り曲げられて、第２側壁部６の外面側に折り込まれている折込部９の上に折り重ねられるものである。
本例では、押さえ片１３は、手前側の折込部９を超える長さに形成されている。
【００２３】
第２側壁部６の外端縁には第７折線１４を介して第２折返し片１５が設けられ、第２折返し片１５の外端縁には第８折線１６を介して、第２側壁部６の外面側に折り込まれた折込部９及び折込部９上に折り重ねられた押さえ片１３の下方から折込部９及び押さえ片１３の内側へ折り込まれる折込片１７が設けられている。
【００２４】
このような展開構造を有する本例の箱１は、次のようにして組み立てられる。
先ず、底部２の相対向する二辺に設けられている第１側壁部４を第１折線３から折り曲げ立ち上げるとともに、底部２の他の相対向する二辺に設けられている第２側壁部６を第２折線５から折り曲げ立ち上げ、この第１側壁部４と第２側壁部６の立ち上げと同期して、隣り合う第１側壁部４と第２側壁部６の間に設けられている正方形の折込部９を、対角線１８から外方に二つ折りして三角形とし、第２側壁部６の外面側に折り込む（図３参照。）。
このとき、折込部９は第１折返し片１１の両端に設けられている押さえ片１３と繋がっていないので、折込部９と押さえ片１３との間に互に拘束しあうといったことがなく、折込部９を第２側壁部６の外面側に容易に折り込むことができる。
【００２５】
次に、第１側壁部４の外端縁に設けられている第１折返し片１１を第５折線１０から第１側壁部４の外面側に折り曲げ、第１折返し片１１の両端に設けられている押さえ片１３を第６折線１２から第２側壁部６の外面側に折り曲げ、第２側壁部６の外面側に折り込まれている折込部９の上に折り重ねる（図４参照）。
【００２６】
次に、第２側壁部６の外端縁に設けられている第２折返し片１５を第７折線１４から第２側壁部６の外面側に折り曲げ、第２側壁部６の外面側に折り込まれた折込部９及び折込部９上に折り重ねられた押さえ片１３の上に折り重ねて、第２折返し片１５の外端縁に設けられた折込片１７を第８折線１６から内側に折り曲げて、第２側壁部６の外面側に折り込まれた折込部９の下方から折込部９の内側へ折り込み、箱１の組み立てが完了する（図１参照。）。
本例では、押さえ片１３は、手前側の折込部９を超える長さに形成されているので（図４参照）、折込片１７は、第２側壁部６の外面側に折り込まれた折込部９及び折込部９上に折り重ねられた押さえ片１３の下方から折込部９及び押さえ片１３の内側へ折り込むようにする。
【００２７】
このようにて組み立てられた本例の箱１によれば、第２側壁部６の外面側に折り込まれる折込部９は、隣り合う第１側壁部４と第２側壁部６の間に、両側端縁にそれぞれ第３折線７、第４折線８を介して連接し、両側端縁を２辺とする正方形に形成され、外方に二つ折りされ三角形となって第２側壁部６の外面側に折り込まれるので、二つ折りされ三角形となった折込部９の端面１９の位置は第１側壁部４と第２側壁部６の開口部端面２０の位置と同じ位置となる。
【００２８】
これにより、内容物が細かい粉体であっても、二つ折りした折込部９の間から漏れるおそれはなく、また液状物であっても、液状物が折込部９の端面１９から浸み込むおそれは無く、内容物が粉体や液状物であっても箱１に満杯に入れることができる
【００２９】
また、第１側壁部４の外端縁に第５折線１０を介して設けられた第１折返し片１１に第６折線１２を介して設けられた押さえ片１３が、第２側壁部６の外面側に折り込まれている折込部９の上に折り重ねられ、第２側壁部６の外端縁に第７折線１４を介して設けられた第２折返し片１５に第８折線１６を介して設けられた折込片１７が、第２側壁部６の外面側に折り込まれた折込部９の下方から折込部９の内側へ折り込まれるので、折込片１７は第２側壁部６の外面と折込部９との間で挟持されることになり、堅牢な箱となる。
【００３０】
本例では、押さえ片１３は手前側の折込部９を超える長さに形成されているので、第２側壁部６の外端縁に第７折線１４を介して設けられた第２折返し片１５に第８折線１６を介して設けられた折込片１７は、第２側壁部６の外面側に折り込まれた折込部９及び折込部９上に折り重ねられた押さえ片１３の下方から折込部９及び押さえ片１３の内側へ折り込むことができ、折込片１７は第２側壁部６の外面と折込部９及び折込部９上に折り重ねられた押さえ片１３との間で挟持されることになり、一層堅牢な箱となる。
【符号の説明】
【００３１】
１  箱
２  底部
３  第１折線
４  第１側壁部
５  第２折線
６  第２側壁部
７  第３折線
８  第４折線
９  折込部
１０  第５折線
１１  第１折返し片
１２  第６折線
１３  押さえ片
１４  第７折線
１５  第２折返し片
１６  第８折線
１７  折込片
１８  対角線
１９  端面
２０  開口部端面
【図１】
2020164183.tif 000003
【図２】
2020164183.tif 000004
【図３】
2020164183.tif 000005
【図４】
2020164183.tif 000006
【図５】
2020164183.tif 000007